(57)【特許請求の範囲】
【請求項１】
両端にそれぞれ動刃と動刃用把持部とを有する動刃片と、両端にそれぞれ静刃と静刃用把持部とを有する静刃片とを、前記動刃と前記動刃用把持部との中間部および前記静刃と前記静刃用把持部との中間部で支軸を中心として回動可能に取り付けて成り、前記動刃と前記静刃とで切断可能な金切り鋏であって、
前記動刃用把持部および前記静刃用把持部は前記静刃の裏スキ面の延長面に対して動刃側に配置され、
前記静刃片は前記静刃の裏スキ面の延長面に対して静刃側の部分が前記静刃の刃線および刃線延長線より前記静刃の峰側に配置されており、
前記静刃より静刃用把持部側で、前記静刃の裏スキ面の延長面に対して静刃側で、さらに前記静刃の刃線より峰側の位置で、前記静刃の刃線と平行に延びる案内面を有することを、
特徴とする金切り鋏。
【請求項２】
前記静刃片は前記動刃と前記静刃とを閉じたとき前記静刃の裏スキ面の延長面に対して動刃側の部分が前記動刃の刃線および刃線延長線より前記動刃の峰側に配置されていることを、特徴とする請求項１記載の金切り鋏。
【請求項３】
前記静刃片は前記動刃と前記静刃とを閉じたとき前記動刃の裏スキ面の延長面に沿って延びる平坦面を有することを、特徴とする請求項１または２記載の金切り鋏。
【請求項４】
前記動刃片は前記動刃の刃線および刃線延長線に対して前記動刃の峰側に配置されていることを、特徴とする請求項１、２または３記載の金切り鋏。
【請求項５】
前記動刃および前記静刃は柳刃から成ることを特徴とする請求項１、２、３または４記載の金切り鋏。
【発明の詳細な説明】
【技術分野】
【０００１】
本発明は、金切り鋏に関する。
【背景技術】
【０００２】
一般に、薄い金属板を切断する際には、長物をまっすぐ直線に切断するときには直刃の金切り鋏を用い、金属板を直線だけでなく曲線状にも切断する際には柳刃の金切り鋏を用いている。従来の柳刃の金切り鋏として、金属板を円弧状に切断するときに円滑に作業ができるよう、動刃の峰や裏スキ面の表面形状に工夫を凝らしたものがある（例えば、特許文献１参照）。
【先行技術文献】
【特許文献】
【０００３】
【特許文献１】特開２００２−１８６７９３号公報
【発明の概要】
【発明が解決しようとする課題】
【０００４】
金切り鋏では、金属板を直線状に切断したとき、切断されて静刃の左右に分けられた金属板の各切断片が、金切り鋏とどこかで干渉し、金切り鋏に強く押し付けられる。特に、特許文献１に記載のような従来の金切り鋏では、回転中心となる支軸が動刃および静刃に近接して設けられ、全体形状が支軸付近で動刃側または静刃側に湾曲するよう形成されているため、各切断片が支軸付近の動刃側の部分または静刃側の部分に接触し、切断部分が左右または上下に無理に押し広げられてしまう。このため、金属板を切り進めていくたびに、金属板の各切断片の接触部分に歪みが生じ、切断線に沿ってその跡が残るおそれがあるという課題があった。また、切断部分を無理に押し広げるため、各切断片から抵抗がかかり、切り進めにくいという課題もあった。
【０００５】
本発明は、このような課題に着目してなされたもので、金属板の各切断片に歪みが生じるのを防ぎ、切断片からの抵抗を小さくして切断作業を容易にすることができる金切り鋏を提供することを目的としている。
【課題を解決するための手段】
【０００６】
上記目的を達成するために、本発明に係る金切り鋏は、両端にそれぞれ動刃と動刃用把持部とを有する動刃片と、両端にそれぞれ静刃と静刃用把持部とを有する静刃片とを、前記動刃と前記動刃用把持部との中間部および前記静刃と前記静刃用把持部との中間部で支軸を中心として回動可能に取り付けて成り、前記動刃と前記静刃とで切断可能な金切り鋏であって、前記動刃用把持部および前記静刃用把持部は前記静刃の裏スキ面の延長面に対して動刃側に配置され、前記静刃片は前記静刃の裏スキ面の延長面に対して静刃側の部分が前記静刃の刃線および刃線延長線より前記静刃の峰側に配置されており、前記静刃より静刃用把持部側で、前記静刃の裏スキ面の延長面に対して静刃側で、さらに前記静刃の刃線より峰側の位置で、前記静刃の刃線と平行に延びる案内面を有することを、特徴とする。
【０００７】
本発明に係る金切り鋏は、動刃用把持部および静刃用把持部が、静刃の裏スキ面の延長面より動刃側に配置されており、切断線に対して左右いずれかにずれているため、切断時に切断線に沿って静刃および動刃を直接目視することができる。このため、目視で確認しながら、所望の切断位置に沿って正確に切断することができる。
【０００８】
また、本発明に係る金切り鋏は、静刃片の、静刃の裏スキ面の延長面に対して静刃側の部分が静刃の刃線および刃線延長線より静刃の峰側に配置されているため、金属板を切り進めるとき、切断されて静刃側と動刃側とに切り分けられた金属板のうち静刃側の切断片が静刃片と干渉して静刃片に強く押し付けられるのを防ぎ、切断片を無理に押し広げることなく、切り進めることができる。これにより、金属板の各切断片に歪みが生じるのを防ぎ、切断片からの抵抗を小さくして切断作業を容易にすることができる。
【０００９】
本発明に係る金切り鋏は、前記静刃より静刃用把持部側で、前記静刃の裏スキ面の延長面に対して静刃側で、さらに前記静刃の刃線より峰側の位置で、前記静刃の刃線と平行に延びる案内面を有する。
このため、案内面により、切り分けられた金属板の各切断片をガイドするようにして切り進めることができる。このため、金属板の各切断片に歪みが生じるのを防ぎ、切断片からの抵抗をより小さくして切断作業を容易にすることができる。
【００１０】
本発明に係る金切り鋏において、前記静刃片は前記動刃と前記静刃とを閉じたとき前記静刃の裏スキ面の延長面に対して動刃側の部分が前記動刃の刃線および刃線延長線より前記動刃の峰側に配置されていることが好ましい。
この場合、金属板を切り進めるとき、切断されて静刃側と動刃側とに切り分けられた金属板のうち動刃側の切断片が静刃片と干渉して静刃片に強く押し付けられるのを防ぎ、切断片を無理に押し広げることなく、切り進めることができる。これにより、金属板の各切断片に歪みが生じるのを防ぎ、切断片からの抵抗を小さくして切断作業を容易にすることができる。
【００１１】
本発明に係る金切り鋏において、前記静刃片は前記動刃と前記静刃とを閉じたとき前記動刃の裏スキ面の延長面に沿って延びる平坦面を有することが好ましい。
この場合、金属板を切り進めるとき、切断されて静刃側と動刃側とに切り分けられた金属板のうち静刃側の切断片を平坦面に沿わせて、金属板の切断片に歪みが生じるのを防ぎ、切断片からの抵抗を小さくして切断作業を容易にすることができる。
【００１２】
本発明に係る金切り鋏において、前記動刃片は前記動刃の刃線および刃線延長線に対して前記動刃の峰側に配置されていることが好ましい。
この場合、金属板を切り進めるとき、切断されて静刃側と動刃側とに切り分けられた金属板のうち動刃側の切断片が動刃片と干渉して静刃片に強く押し付けられるのを防ぎ、切断片を無理に押し広げることなく、切り進めることができる。これにより、金属板の各切断片に歪みが生じるのを防ぎ、切断片からの抵抗を小さくして切断作業を容易にすることができる。
【００１３】
本発明に係る金切り鋏は、金属板を切断するとき、静刃が金属板の下面側に、動刃が金属板の上面側になるようにして切断することが好ましい。この場合、動刃側の切断片が動刃用把持部および静刃用把持部の下方に位置するため、動刃用把持部および静刃用把持部を握る手元の視界を妨げず、切断作業を行いやすい。
本発明に係る金切り鋏で、前記動刃および前記静刃は、柳刃から成ることが好ましい。
【発明の効果】
【００１４】
本発明によれば、金属板の各切断片に歪みが生じるのを防ぎ、切断片からの抵抗を小さくして切断作業を容易にすることができる金切り鋏を提供することができる。
【図面の簡単な説明】
【００１５】
【図１】本発明の実施の形態の金切り鋏を示す正面図である。
【図２】本発明の実施の形態の金切り鋏の静刃片を示す背面図である。
【図３】本発明の実施の形態の金切り鋏を示す（ａ）平面図、（ｂ）底面図である。
【発明を実施するための形態】
【００１６】
以下、図面に基づき、本発明の実施の形態について説明する。
図１乃至図３は、本発明の実施の形態の金切り鋏を示している。
図１乃至図３に示すように、金切り鋏１０は、動刃片１１と静刃片１２とを有している。
動刃片１１は、細長い棒状を成し、両端にそれぞれ動刃取付部２１と動刃用把持部２２とを有している。動刃取付部２１は、薄い板状を成し、柳刃から成る薄い動刃２３が取り付けられている。動刃用把持部２２は、真っ直ぐに伸びた丸棒形状を成している。動刃取付部２１と動刃用把持部２２との中間部２４は、動刃取付部２１を延長した薄い板状を成している。動刃片１１は、中間部２４と動刃用把持部２２との境界付近で傾斜して板状から円柱状に変わっている。
【００１７】
動刃片１１は、中間部２４と動刃用把持部２２との境界付近で、動刃用把持部２２の延長方向に対して、動刃取付部２１および中間部２４が動刃２３の峰２３ａ側になるよう、鈍角に折り曲げられている。また、動刃片１１は、中間部２４と動刃取付部２１との境界付近で、動刃取付部２１の延長方向に対して、中間部２４および動刃用把持部２２が動刃２３の裏スキ面２３ｂとは反対側になるよう、鈍角に折り曲げられている。
【００１８】
静刃片１２は、細長い棒状を成し、両端にそれぞれ静刃取付部３１と静刃用把持部３２とを有している。静刃取付部３１は、薄い板状を成し、柳刃から成る薄い静刃３３が取り付けられている。静刃用把持部３２は、真っ直ぐに伸びた丸棒形状を成している。静刃取付部３１と静刃用把持部３２との中間部３４は、静刃取付部３１を延長した薄い板状を成している。静刃片１２は、中間部２４と静刃用把持部３２との境界付近で傾斜して板状から円柱状に変わっている。
【００１９】
静刃片１２は、中間部２４と静刃用把持部３２との境界付近で、静刃用把持部３２の延長方向に対して、静刃取付部３１および中間部２４が静刃３３の峰３３ａ側になるよう、鈍角に折り曲げられている。また、静刃片１２は、中間部２４と静刃取付部３１との境界付近で、静刃取付部３１の延長方向に対して、中間部２４および静刃用把持部３２が静刃３３の裏スキ面３３ｂ側かつ静刃３３の刃線３３ｃ側になるよう、鈍角に折り曲げられている。
【００２０】
金切り鋏１０は、動刃片１１と静刃片１２とを、動刃片１１の中間部２４の動刃取付部２１側の端部および静刃片１２の中間部２４の静刃取付部３１側の端部で、支軸１３を中心として回動可能に取り付けて成っている。金切り鋏１０は、動刃用把持部２２と静刃用把持部３２とを持って、互いに開閉させることにより、動刃取付部２１と静刃取付部３１とを開閉させるようになっている。
【００２１】
金切り鋏１０は、支軸１３を中心として回転させて動刃取付部２１と静刃取付部３１とを閉じたとき、動刃２３の裏スキ面２３ｂと静刃３３の裏スキ面３３ｂとが重なり合うよう構成されている。金切り鋏１０は、動刃用把持部２２と静刃用把持部３２とを互いに開閉させることにより、動刃２３および静刃３３で、金属板などの非切断物を切断可能になっている。金切り鋏１０は、動刃用把持部２２および静刃用把持部３２が、静刃３３の裏スキ面３３ｂの延長面に対して動刃２３の側に配置されている。
【００２２】
静刃片１２は、静刃３３の裏スキ面３３ｂの延長面に対して静刃３３側の部分が静刃３３の刃線３３ｃおよび刃線延長線より峰３３ａ側に配置されている。静刃片１２は、動刃２３と静刃３３とを閉じたとき、静刃３３の裏スキ面３３ｂの延長面に対して動刃２３側の部分が、動刃２３の刃線および刃線延長線より峰２３ａ側に配置されている。動刃片１１は、動刃２３の刃線および刃線延長線に対して峰２３ａ側に配置されている。
【００２３】
静刃片１２は、静刃３３の裏スキ面３３ｂの延長面が中間部３４と交差する位置に、その延長面に沿うよう形成された峰側平坦面３５ａと刃線側平坦面３６ａとを有し、延長面に対して垂直に形成された峰側案内面３５ｂと刃線側案内面３６ｂとを有している。峰側平坦面３５ａは、中間部３４の峰３３ａ側に、静刃３３の裏スキ面３３ｂから延びるよう形成されている。峰側案内面３５ｂは、中間部３４の峰３３ａ側で、峰側平坦面３５ａから動刃片１１の側に延びている。峰側案内面３５ｂは、静刃取付部３１から静刃用把持部３２に向かって、静刃３３の刃線３３ｃ側から峰３３ａ側に斜めに伸び、峰側平坦面３５ａと垂直に交わっており、静刃３３の峰３３ａ側を向いている。
【００２４】
刃線側平坦面３６ａは、中間部３４の刃線３３ｃ側で、静刃３３の裏スキ面３３ｂに対して反対側を向くよう形成されている。刃線側平坦面３６ａは、動刃２３と静刃３３とを閉じたとき、動刃２３の裏スキ面２３ｂの延長面に沿って延びている。刃線側案内面３６ｂは、中間部３４の刃線３３ｃ側で、刃線側平坦面３６ａから動刃片１１とは反対側に延びている。刃線側案内面３６ｂは、静刃３３の刃線３３ｃの延長線付近で刃線側平坦面３６ａと垂直に交わっている。刃線側案内面３６ｂは、静刃３３より静刃用把持部３３側でかつ、静刃３３の裏スキ面３３ｂの延長面に対して静刃３３側で、さらに静刃３３の刃線３３ｃよりやや峰３３ａ側の位置で、刃線３３ｃと平行に延びている。
【００２５】
次に、作用について説明する。
金切り鋏１０は、金属板を切断するとき、通常、静刃３３を金属板の下面側に、動刃２３を金属板の上面側に配置して使用される。このように使用することで、動刃２３側の切断片が動刃用把持部２２および静刃用把持部３３の下方に位置するため、動刃用把持部２２および静刃用把持部３３を握る手元の視界を妨げず、切断作業を行いやすい。
また、金切り鋏１０は、動刃用把持部２２および静刃用把持部３２が、静刃３３の裏スキ面３３ｂの延長面より動刃２３の側に配置されており、切断線に対して左右いずれかにずれているため、切断時に切断線に沿って静刃３３および動刃２３を直接目視することができる。このため、目視で確認しながら、所望の切断位置に沿って正確に切断することができる。
【００２６】
金切り鋏１０は、静刃片１２の、静刃３３の裏スキ面３３ｂの延長面に対して静刃３３側の部分、特に刃線側案内面３６ｂが、静刃３３の刃線３３ｃおよび刃線延長線より峰３３ａ側に配置されているため、金属板を切り進めるとき、切断されて静刃３３側と動刃２３側とに切り分けられた金属板のうち静刃３３側の切断片が静刃片１２と干渉して静刃片１２に強く押し付けられるのを防ぎ、切断片を無理に押し広げることなく、切り進めることができる。
【００２７】
また、静刃片１２は動刃２３と静刃３３とを閉じたとき、静刃３３の裏スキ面３３ｂの延長面に対して動刃２３側の部分、特に峰側案内面３５ｂが、動刃２３の刃線および刃線延長線より峰２３ａ側に配置されているため、金属板を切り進めるとき、切断されて静刃３３側と動刃２３側とに切り分けられた金属板のうち動刃２３側の切断片が静刃片１２と干渉して静刃片１２に強く押し付けられるのを防ぎ、切断片を無理に押し広げることなく、切り進めることができる。
【００２８】
特に、刃線側案内面３６ｂおよび峰側案内面３５ｂにより、切り分けられた金属板の各切断片をガイドするようにして切り進めることができる。こうして、金属板の各切断片に歪みが生じるのを防ぎ、切断片からの抵抗を小さくして切断作業を容易にすることができる。
【００２９】
さらに、静刃片１２は動刃２３と静刃３３とを閉じたとき動刃２３の裏スキ面２３ｂの延長面に沿って延びる刃線側平坦面３６ａを有するので、金属板を切り進めるとき、切断されて静刃３３側と動刃２３側とに切り分けられた金属板のうち静刃３３側の切断片を刃線側平坦面３６ａに沿わせて、金属板の切断片に歪みが生じるのを防ぎ、切断片からの抵抗を小さくして切断作業を容易にすることができる。
【００３０】
また、動刃片１１は動刃２３の刃線および刃線延長線に対して峰２３ａ側に配置されているため、金属板を切り進めるとき、切断されて静刃３３側と動刃２３側とに切り分けられた金属板のうち動刃２３側の切断片が動刃片１１と干渉して動刃片１１に強く押し付けられるのを防ぎ、切断片を無理に押し広げることなく、切り進めることができる。これにより、さらに、金属板の各切断片に歪みが生じるのを防ぎ、切断片からの抵抗を小さくして切断作業を容易にすることができる。
【符号の説明】
【００３１】
１０  金切り鋏
１１  動刃片
２１  動刃部
２２  動刃用把持部
２３  動刃
２３ａ  峰
２３ｂ  裏スキ面
２４  中間部
１２  静刃片
３１  静刃部
３２  静刃用把持部
３３  静刃
３３ａ  峰
３３ｂ  裏スキ面
３３ｃ  刃線
３４  中間部
３５ａ  峰側平坦面
３５ｂ  峰側案内面
３６ａ  刃線側平坦面
３６ｂ  刃線側案内面
１３  支軸
【図１】
0005920654.tif 000002
【図２】
0005920654.tif 000003
【図３】
0005920654.tif 000004